(57)【特許請求の範囲】
【請求項１】
（ａ）非イオン界面活性剤を１０〜５０質量％、
（ｂ）陰イオン界面活性剤を０．２５〜５質量％、
（ｃ）ポリヘキサメチレンビグアニド、ポリヘキサメチレンビグアニドの酸塩、ポリリジン、及びポリリジンの酸塩から選ばれる１種以上を０．０１〜２質量％（但し、ポリヘキサメチレンビグアニドの酸塩又はポリリジンの酸塩の量は、それぞれ、ポリヘキサメチレンビグアニド換算又はポリリジン換算の量である）、
（ｄ）陽イオン界面活性剤、並びに、
（ｅ）両性界面活性剤
を含有し、
（ｂ）の含有量と（ｄ）の含有量のモル比（ｂ）／（ｄ）が０．１〜１．０であり、
（ｄ）の含有量と（ｅ）の含有量のモル比（ｄ）／（ｅ）が０．２０〜５であり、
（ｄ）が、窒素原子に結合する４つの基として、炭素数８〜２０の炭化水素基を１個又は２個有し、残りが炭素数１〜３のアルキル基又はベンジル基である４級アンモニウム型界面活性剤である、
液体洗浄剤組成物。
【請求項２】
（ａ）として、アルキルポリグリコシド、ポリオキシアルキレンアルキルエーテル、ポリオキシアルキレンアルケニルエーテル、及び、アルキルグリセリルエーテルからなる群より選ばれる１種以上を含有する請求項１記載の液体洗浄剤組成物。
【請求項３】
（ｂ）が、炭素数１０〜１６の炭化水素基と、スルホン酸基又は硫酸エステル基とを有する陰イオン界面活性剤である請求項１又は２記載の液体洗浄剤組成物。
【請求項４】
（ｅ）が、アミンオキシド及び／又はベタインである請求項１〜３の何れか１項記載の液体洗浄剤組成物。
【請求項５】
業務用施設の厨房において用いる請求項１〜４の何れか１項記載の液体洗浄剤組成物。
【請求項６】
（ｄ）成分の含有量が、０．５〜１０質量％である請求項１〜５の何れか１項記載の液体洗浄剤組成物。
【請求項７】
（ｅ）成分の含有量が、１〜１０質量％である請求項１〜６の何れか１項記載の液体洗浄剤組成物。
【発明の詳細な説明】
【技術分野】
【０００１】
本発明は、液体洗浄剤組成物に関する。特に、業務用施設の厨房における調理器具や洗浄道具の除菌性に優れる液体洗浄剤組成物に関する。
【背景技術】
【０００２】
業務用施設の厨房周りは非常に高い衛生管理が求められているが、現場調査の結果、まな板などの調理器具や特にスポンジなどの洗浄道具に菌が残りやすいことがわかっている。また、洗浄道具は菌が繁殖しやすい場所となっており、洗浄道具で増殖した菌が調理器具や食器類、さらには食物に交差汚染することが懸念される。そこで、洗浄道具の抗菌が要望される。従来、食器や調理器具の洗浄に用いられる液体洗浄剤組成物に、抗菌性を付与することが提案されており、そのような液体洗浄剤組成物を用いることは、洗浄に用いるスポンジなどの洗浄道具の抗菌にもつながる。
【０００３】
特許文献１には、アニオン系界面活性剤とビグアニド系殺菌剤を併用する殺菌洗浄剤の技術が記載されている。また、特許文献２には、カチオン殺菌剤、アニオン及びハイドロトロープを含有する液体洗浄剤組成物が開示されている。また、特許文献３には、アルキル基及び糖残基を有する界面活性剤と両性界面活性剤を含有し、殺生剤としてビグアニドや第四級アンモニウム化合物を含有する殺生洗浄剤組成物が開示されている。
【先行技術文献】
【特許文献】
【０００４】
【特許文献１】特開２０００−２６８９４号公報
【特許文献２】特開２００２−５３８９９号公報
【特許文献３】特表２００４−５２６８３３号公報
【発明の概要】
【発明が解決しようとする課題】
【０００５】
前述した通り、業務用施設の厨房周りにおける洗浄道具では多数の菌が検出されることが判っている。しかし、洗浄道具に菌汚染があったとしても、その洗浄道具の菌数を低減することにより、食器、調理器具や、食物の交差汚染も低減出来ると考えられる。
【０００６】
業務用施設の厨房などにて使用される洗浄道具は、一般家庭で使用されるものに比べ非常に汚れ負荷が高く、さらにはスポンジなどの多孔性材料からなる洗浄道具中ではバイオフィルムも多く存在するものと考えられ、洗浄剤により洗浄道具の除菌を十分に行うためには、より高い水準の抗菌力が要求される。
【０００７】
また、従来の殺菌剤配合洗浄剤は、スポンジ等の洗浄道具による手洗いでは泡立ちや洗浄持続性が非常に悪い。これを解決するために陰イオン界面活性剤を配合することが一般的であるが、カチオン系殺菌剤の殺菌効果を阻害するだけでなく、液体組成物中で複合体を形成し濁りや沈殿といった安定性、特に低温での保存安定性に影響を及ぼすことが多い。
【０００８】
非イオン界面活性剤を含有する洗浄剤においても、陰イオン界面活性剤を用いて洗浄力を向上することは一般的である。また、そのような洗浄剤に抗菌効果を持たせることも通常行われている。しかしながら、抗菌剤としてカチオン系抗菌剤を陰イオン界面活性剤と併用すると抗菌効果を阻害するだけでなく、陰イオン界面活性剤の洗浄力も著しく低下させる。特に、ビグアニド系抗菌剤はその抗菌効果の低下が著しい。
【０００９】
特許文献１のアニオン系界面活性剤とビグアニド系殺菌剤を併用した殺菌洗浄剤は、上記の理由により、十分に満足できる殺菌効果が得られないばかりか、洗浄力も満足できない。特に、食器洗浄用洗浄剤のように油汚れなど汚れ負荷の高い洗浄においては、上記傾向が顕著である。同様に、特許文献２のポリリジンを用いた液体洗浄剤組成物も、アニオンとのコンプレックスを生成することにより、高い抗菌効果と高い洗浄効果の両立が課題である。同様に、特許文献３のアルキルポリグリコシドと両性界面活性剤とビグアニド系殺菌剤を併用した殺生洗浄組成物も、アニオン活性剤配合量が少ないことにより、汚れ負荷が高い場面での洗浄効果に課題が残る。
【００１０】
また、非イオン界面活性剤を含有する洗浄剤において、陰イオン界面活性剤とカチオン系抗菌剤を併用すると、液体組成物中で複合体を形成し濁りや沈殿といった安定性、特に低温での保存安定性に影響を及ぼすことが多い。
【００１１】
本発明の課題は、油汚れなど汚れ負荷の高い洗浄において、優れた洗浄性と抗菌性を有し、且つ、低温下の保存安定性に優れた液体洗浄剤組成物を提供することにある。
【課題を解決するための手段】
【００１２】
本発明は、
（ａ）非イオン界面活性剤〔以下、（ａ）成分という〕を１０〜５０質量％、
（ｂ）陰イオン界面活性剤〔以下、（ｂ）成分という〕を０．２５〜５質量％、
（ｃ）ポリヘキサメチレンビグアニド、ポリヘキサメチレンビグアニドの酸塩、ポリリジン、及びポリリジンの酸塩から選ばれる１種以上を０．０１〜２質量％（但し、ポリヘキサメチレンビグアニドの酸塩又はポリリジンの酸塩の量は、それぞれ、ポリヘキサメチレンビグアニド換算又はポリリジン換算の量である）、
（ｄ）陽イオン界面活性剤〔以下、（ｄ）成分という〕、並びに、
（ｅ）両性界面活性剤〔以下、（ｅ）成分という〕
を含有し、
（ｂ）の含有量と（ｄ）の含有量のモル比（ｂ）／（ｄ）が０．１〜１．０であり、
（ｄ）の含有量と（ｅ）の含有量のモル比（ｄ）／（ｅ）が０．２０〜５である、
液体洗浄剤組成物に関する。
【発明の効果】
【００１３】
本発明によれば、油汚れなど汚れ負荷の高い洗浄において、優れた洗浄性と抗菌性を有し、且つ、低温下の保存安定性に優れた液体洗浄剤組成物が提供される。
【発明を実施するための形態】
【００１４】
＜（ａ）成分＞
本発明の液体洗浄剤組成物の（ａ）成分は非イオン界面活性剤である。（ａ）成分としては、洗浄性の観点から、アルキルポリグリコシド、ポリオキシアルキレンアルキルエーテル、ポリオキシアルキレンアルケニルエーテル、アルキルグリセリルエーテルが好ましい。
【００１５】
アルキルポリグリコシドとしては、一般式（ａ１）の化合物が挙げられる。
Ｒ1a−（ＯＲ2a）sＧt          （ａ１）
〔式中、Ｒ1aは炭素数８〜１６の直鎖アルキル基であり、Ｒ2aは、炭素数２〜４のアルキレン基である。Ｇは還元糖に由来する基を示す。ｓは平均付加モル数であり０〜５の数を示し、ｔは平均縮合度であり１〜３の数を示す。〕
【００１６】
洗浄性の観点から、一般式（ａ１）においてＲ1aは炭素数１０〜１６の直鎖アルキル基が好適であり、特に、炭素数１２〜１４の直鎖アルキル基を含有することが好適である。また、ｓは好ましくは０〜３、より好ましくは０〜２、特に好ましくは０である。Ｒ2aはエチレン基が好ましい。
【００１７】
一般式（ａ１）において、Ｇは還元糖に由来する基であり、より具体的にはグリコシド基が挙げられる。原料の還元糖としては、アルドースとケトースの何れであっても良く、また、炭素数が３〜６個のトリオース、テトロース、ペントース、ヘキソースを挙げることができる。アルドースとして具体的にはアピオース、アラビノース、ガラクトース、グルコース、リキソース、マンノース、ガロース、アルドース、イドース、タロース、キシロースを挙げることができ、ケトースとしてはフラクトースを挙げることができる。本発明ではこれらの中でも、洗浄性の観点から、特に炭素数５又は６のアルドペントースあるいはアルドヘキソースが好ましく、中でもグルコースが最も好ましい。
【００１８】
一般式（ａ１）中、ｔは糖の平均縮合度を示し、好ましくは１〜２の数、特に１〜１．５の数が良好である。
【００１９】
一般式（ａ１）の化合物は、上記糖とＲ1a−（ＯＲ2a）s−ＯＨとを酸触媒を用いてアセタール化反応又はケタール化反応することで容易に合成することができる。また、アセタール化反応の場合、ヘミアセタール構造であっても良く、通常のアセタール構造であっても良い。
【００２０】
ポリオキシアルキレンアルキルエーテル、ポリオキシアルキレンアルケニルエーテルを包含する非イオン界面活性剤として、下記一般式（ａ２）で表される化合物が挙げられる。
Ｒ3a−Ｏ−（ＡＯ）q−Ｈ      （ａ２）
〔式中、Ｒ3aは、炭素数８〜１６のアルキル基又はアルケニル基、ＡＯは炭素数２〜３のアルキレンオキシ基、ｑは平均付加モル数であり、１〜３０の数である〕
【００２１】
洗浄性の観点から、一般式（ａ２）中、Ｒ3aの炭素数は１０〜１４が好ましく、また、アルキル基が好ましい。ＡＯはエチレンオキシ基、プロピレンオキシ基が好ましく、エチレンオキシ基がより好ましい。ｑは１〜２５、更に１．５〜２５、更に５〜２５、更に１０〜２４、更に１５〜２３、更に２０〜２２が好ましい。
【００２２】
アルキルグリセリルエーテルとしては、モノアルキルグリセリルエーテル、好ましくは炭素数６〜１０のアルキル基を有するモノアルキルグリセリルエーテル、更に下記一般式（ａ３）で表される化合物が挙げられる。
Ｒ4a−Ｏ−（ＣＨ2ＣＨ（ＯＨ）ＣＨ2Ｏ）r−Ｈ        （ａ３）
〔式中、Ｒ4aは炭素数６〜１０のアルキル基であり、ｒは平均付加モル数であり、１〜４の数を示す。〕
【００２３】
洗浄性の観点から、一般式（ａ３）においてＲ4aは炭素数６〜１０の分岐鎖アルキル基が好ましく、２−エチルヘキシル基、イソノニル基及びイソデシル基から選ばれる基がより好ましく、２−エチルヘキシル基またはイソデシル基が更に好ましく、２−エチルヘキシル基が特に好ましい。ｒは１〜３が好ましく、１〜２がより好ましく、ｒ＝１の化合物が最も好ましい。特に好ましい化合物はＲ4aが２−エチルヘキシル基で、かつ、ｒ＝１の化合物である。
【００２４】
一般式（ａ３）の化合物を得るには、例えば２−エチルヘキサノール、イソノナノール又はイソデカノールから選ばれる分岐型アルキルアルコールとエピハロヒドリンやグリシドール等のエポキシ化合物とを、ＢＦ3等の酸触媒、あるいはアルミニウム触媒を用いて反応させて製造する方法を用いることができる。２−エチルヘキサノールを用いる場合、得られる２−エチルヘキシルモノグリセリルエーテルは、特開２００１−４９２９１号公報に記載されているように複数の生成物を含み得る混合物であり、具体的には、２−エチルヘキシルモノグリセリルエーテルとして、エポキシ化合物の１位に２−エチルヘキサノールが付加した化合物（３−（２−エチルヘキシルオキシ）−１，２−プロパンジオール、以下（ａ３−１）という）やエポキシ化合物の２位に付加した化合物（２−（２−エチルヘキシルオキシ）−１，３−プロパンジオール、以下（ａ３−２）という）、副生成物として、（ａ３−１）又は（ａ３−２）にさらにエポキシ化合物が付加した多付加化合物（以下（ａ３−３）という）をも含み得る混合物である。本発明の（ａ）成分である２−エチルヘキシルモノグリセリルエーテルを含む該混合物は、そのまま用いてもよく、さらに精製して用いてもよい。
【００２５】
本発明では、（ａ）成分である（ａ３−１）以外の化合物を多く含有すると本発明の効果を損なう場合があるため注意が必要であり、特に多付加化合物（ａ３−３）の含有量を（ａ３−３）／（ａ３−１）の質量比で１／９９以下、好ましくは０．５／９９．５以下、特に好ましくは０．１／９９．９以下とすることが好適である。
【００２６】
（ａ３−３）を低減化させる方法としては、特開２００１−４９２９１号公報に記載の方法を例示することができる他、蒸留精製により（ａ３−３）を除去する方法を採用することができる。
【００２７】
本発明では、洗浄性の観点から、（ａ）成分として、アルキルポリグリコシド、ポリオキシアルキレンアルキルエーテル、及び、アルキルグリセリルエーテルからなる群より選ばれる１種以上を含有することが好ましい。更には、洗浄性の観点から、（ａ）成分として、アルキルポリグリコシド及びアルキルグリセリルエーテルを含有することが好ましい。
【００２８】
＜（ｂ）成分＞
本発明の液体洗浄剤組成物は、（ｂ）成分として陰イオン界面活性剤を含有する。（ｂ）成分としては、炭化水素基を有する陰イオン界面活性剤などが挙げられる。（ｂ）成分としては、洗浄性の観点から、炭素数６〜２２の炭化水素基を有する陰イオン性化合物、更に炭素数６〜２２の炭化水素基を有する陰イオン界面活性剤、更に、炭素数１０〜１６の炭化水素基と、スルホン酸基又は硫酸エステル基とを有する陰イオン界面活性剤が好ましい。
【００２９】
（ｂ）成分としては、洗浄性の観点から、炭素数１０〜１６のアルキル基を有するアルキルベンゼンスルホン酸又はその塩、炭素数１０〜１６のモノアルキル硫酸エステル塩、炭素数１０〜１６のアルキル基を有し炭素数２又は３のオキシアルキレン基が平均１〜４モル付加したポリオキシアルキレンアルキルエーテル硫酸エステル塩、炭素数８〜１６のα−オレフィンスルホン酸塩、α−スルホ脂肪酸（炭素数８〜１６）低級アルキル（炭素数１〜３）エステル塩、トルエンスルホン酸又はその塩、炭素数８〜１２のアルケニルコハク酸又はその塩等を挙げることができる。塩としてはナトリウム塩、カリウム塩、マグネシウム塩、アルカノールアミン塩が挙げられる。これらのうち、安定性の観点から、ナトリウム塩、カリウム塩、マグネシウム塩が好ましく、更に、洗浄性の観点から、ナトリウム塩、マグネシウム塩が好ましい。
【００３０】
＜（ｃ）成分＞
本発明の液体洗浄剤組成物は除菌性の観点から、（ｃ）成分として、ポリヘキサメチレンビグアニド、ポリヘキサメチレンビグアニドの酸塩、ポリリジン、及びポリリジンの酸塩から選ばれる１種以上を含有する。
【００３１】
ポリヘキサメチレンビグアニドとしては、下記一般式（ｃ１）で表される化合物が挙げられる。
【００３２】
【化１】
0005808207.tif 000002
【００３３】
〔式中Ｒ1cはヘキサメチレン基、ｎは２〜１４の数であり、好ましくは１０〜１４、より好ましくは１１〜１３、より更に好ましくは１２である。〕
【００３４】
ポリヘキサメチレンビグアニドの酸塩は、部分酸塩もしくは全部酸塩である。ポリヘキサメチレンビグアニドの酸塩としては、下記一般式（ｃ２）で表される化合物が挙げられる。
【００３５】
【化２】
0005808207.tif 000003
【００３６】
〔式中Ｒ1cはヘキサメチレン基、ｍは２〜１４の数であり、好ましくは１０〜１４、より好ましくは１１〜１３、更に好ましくは１２である。ｎは１〜５ｍの数であり、好ましくは、ｎは２〜３ｍの数であり、より好ましくは、ｎはｍ〜２ｍの数であり、さらに好ましくは、ｎはｍである。ＨＹは有機酸又は無機酸を示し、好ましくは塩酸、グルコン酸、酢酸であり、より好ましくは塩酸である。〕
【００３７】
ポリリジンとしては、α−ポリ−Ｌ−リジン、ε−ポリ−Ｌ−リジン、ε−ポリ−Ｄ−リジン等が挙げられる。前記ポリリジンはいずれも使用できる。本発明では安全性の面から、α−ポリ−Ｌ−リジンおよびε−ポリ−Ｌリジンを好ましく使用することができる。特に、下記の式で表される、ε−ポリ−Ｌリジンが、安全性の観点から好ましい。
【００３８】
【化３】
0005808207.tif 000004
【００３９】
〔式中、ｐは５〜１００の数であり、１０〜５０が好ましく、さらに１３〜２７が好ましい。〕
【００４０】
ε−ポリ−Ｌリジンはストレプトマイセス（Streptomyces）属の微生物を培養することによって得られ、人体にとって必須アミノ酸であるリジンが縮合してできたポリペプチドである。このポリリジンは体内の酵素等で加水分解されると元の構成成分であるＬ−リジンになるため安全性が非常に高い。
【００４１】
ポリリジンとしては遊離状のもの及び無機酸もしくは有機酸の塩の形態のもののいずれも使用することができる。塩の形態の場合、好ましくは塩酸、グルコン酸、酢酸であり、より好ましくは塩酸である。
【００４２】
ポリリジンとしては、取り扱いを容易にするために賦形剤や増量剤で加工されたものを使用することができる。
＜（ｄ）成分＞
本発明の液体洗浄剤組成物は（ｄ）成分として、陽イオン界面活性剤を含有する。具体的には、アルキルトリメチルアンモニウム塩、ジアルキルジメチルアンモニウム塩、トリエタノールアミン・ジ脂肪酸エステル四級塩、Ｎ−ヒドロキシエチル−Ｎ−メチル−プロパンジアミンの脂肪酸モノエステルモノアミド塩、アルキルベンジルジメチルアンモニウム塩、アルキルピリジニウム塩、ポリエチレンポリアミン、塩化ベンゼトニウム等が挙げられる。（ｄ）成分としては、安定性の観点から、窒素原子に結合する４つの基として、炭素数８〜２０の炭化水素基（好ましくはアルキル基又はアルケニル基）を１個又は２個有し、残りが炭素数１〜３のアルキル基、炭素数１〜３のヒドロキシアルキル基又はベンジル基である４級アンモニウム型界面活性剤が好ましい。
【００４３】
中でも、殺菌性を有する陽イオン界面活性剤が好ましく、殺菌性を有する陽イオン界面活性剤として、下記一般式（ｄ１）で表される陽イオン界面活性剤、及び一般式（ｄ２）で表される陽イオン界面活性剤から選ばれる少なくとも１種の陽イオン界面活性剤が挙げられる。
【００４４】
【化４】
0005808207.tif 000005
【００４５】
〔式中、Ｒ1d〜Ｒ4dのいずれか１つ又は２つが、炭素数８〜１６の直鎖もしくは分岐鎖のアルキル基又はアルケニル基、又は次式
【００４６】
【化５】
0005808207.tif 000006
【００４７】
で表される基を示し、残りは同一もしくは異なって、炭素数１〜３のアルキル基、ベンジル基、炭素数１〜３のヒドロキシアルキル基、又は式−（ＣＨ2ＣＨ2Ｏ）mＨ（ｍはエチレンオキシド平均付加モル数で、２〜２０を示す）で表される基を示し、Ｒ5dは炭素数１２〜１８の直鎖又は分岐鎖のアルキル基又はアルケニル基を示し、Ｘ-はハロゲンイオン、好ましくは塩素イオン、又は有機アニオンとなる基を示す。〕
【００４８】
（ｄ）成分として、洗浄性および殺菌性の観点から、ジアルキル（炭素数８〜１６）ジメチルアンモニウムハライド、塩化ベンザルコニウム（炭素数８〜１６のアルキル基を有するもの）、塩化ベンゼトニウム又はこれらの対イオンが他のアニオンに変換された陽イオン界面活性剤が好ましい。
【００４９】
（ｄ）成分としては、洗浄性および殺菌性の観点から、一般式（ｄ１）で表される陽イオン界面活性剤が好ましく、一般式（ｄ１）中のＲ1d〜Ｒ4dとして炭素数８〜１０の直鎖アルキル基を２つ有し、残りがメチル基のものがより好ましい。
【００５０】
＜（ｅ）成分＞
本発明の液体洗浄剤組成物は（ｅ）成分として、両性界面活性剤を含有する。両性界面活性剤としては、アルキルアミンオキシド等のアミンオキシド、アルキルアミノ酢酸ベタイン、アルキルアミドプロピルベタイン、アルキルヒドロキシスルホベタイン等のベタイン、及びアミドアミノ酸（イミダゾリン系ベタイン）などが挙げられる。（ｅ）成分はこれらから選ばれる１種以上を含有することができる。（ｅ）成分は、洗浄性，安定性の観点から、アミンオキシド及び／又はベタインが好ましい。
【００５１】
アミンオキシドとしては、炭素数８〜１８の炭化水素基を有するアミンオキシドが好ましい。具体的には、下記一般式（ｅ１）で表される化合物が挙げられる。
【００５２】
【化６】
0005808207.tif 000007
【００５３】
〔式中、Ｒ1eは炭素数８〜１８の炭化水素基、好ましくは炭素数８〜１６のアルキル基又はアルケニル基であり、Ｒ2eは炭素数１〜６のアルキレン基であり、Ｄは−（ＣＯ）Ｏ−、−（ＣＯ）（ＮＨ）−、−Ｏ（ＣＯ）−、−（ＮＨ）（ＣＯ）−から選ばれる基である。ｋは０又は１の数であり、Ｒ3e、Ｒ4eは、それぞれ炭素数１〜３のアルキル基又はヒドロキシアルキル基である。〕
【００５４】
一般式（ｅ１）において、Ｒ1eは、好ましくは炭素数１０〜１４のアルキル基又はアルケニル基であり、より好ましくはラウリル基（又はラウリン酸残基）及び／又はミリスチル基（又はミリスチン酸残基）である。Ｄは、好ましくは−（ＣＯ）Ｏ−又は−（ＣＯ）（ＮＨ）−であり、より好ましくは−（ＣＯ）（ＮＨ）−である。Ｒ2eの炭素数は、好ましくは２又は３であり、Ｒ3e、Ｒ4eは、好ましくはメチル基である。
【００５５】
ベタインとしては、炭素数８〜１８の炭化水素基を有するベタインが好ましい。具体的には、下記一般式（ｅ２）で表される化合物が挙げられる。
【００５６】
【化７】
0005808207.tif 000008
【００５７】
〔式中、Ｒ5eは炭素数８〜１８の炭化水素基、好ましくはアルキル基又はアルケニル基であり、Ｒ6eは炭素数１〜６のアルキレン基である。Ｅは−（ＣＯ）Ｏ−、−（ＣＯ）（ＮＨ）−、−Ｏ（ＣＯ）−、−（ＮＨ）（ＣＯ）−、−Ｏ−から選ばれる基であり、ｊは０又は１の数である。Ｒ7e、Ｒ8eは、それぞれ炭素数１〜３のアルキル基又はヒドロキシアルキル基であり、Ｒ9eはヒドロキシ基で置換していてもよい炭素数１〜５のアルキレン基である。Ｔは−ＳＯ3-、−ＯＳＯ3-、−ＣＯＯ-から選ばれる基である。〕
【００５８】
一般式（ｅ２）において、Ｒ5eは、好ましくは炭素数９〜１７であり、より好ましくは１０〜１６のアルキル基またはアルケニル基である。Ｒ6eは、好ましくは炭素数１〜４であり、より好ましくは２又は３のアルキレン基、ｊは好ましくは０である。Ｒ7e、Ｒ8eは、好ましくはメチル基、エチル基又はヒドロキシエチル基である。Ｒ9eはヒドロキシ基で置換してもよい炭素数１〜３のアルキレン基が好ましい。Ｔは洗浄効果の点から−ＳＯ3-が好ましい。
【００５９】
＜液体洗浄剤組成物＞
本発明の液体洗浄剤組成物は、−１０℃〜６０℃の温度範囲において何れの温度でも液体であるものが好ましい。詳細には、−１０℃〜６０℃の温度範囲において何れの温度でも粘度３０００ｍＰａ・ｓ以下の流動性のあるものが好ましく、１０００ｍＰａ・ｓ以下であることがより好ましく、さらに、５００ｍＰａ・ｓ以下であることが好ましく、さらに、２００ｍＰａ・ｓ以下であることが好ましい。また、洗浄作業性の観点から１ｍＰａ・ｓ以上であることが好ましい。上記粘度は、Ｂ型粘度計により測定することができる。
【００６０】
本発明の液体洗浄剤組成物は、詰め替え等の作業性、および品質保持の観点から、低温、例えば−５℃の環境下においても、凍結または分離することなく透明性を維持していることが好ましい。さらに本発明の液体洗浄剤組成物は、−５℃の環境下において２０日保存しても安定であることが好ましい。
【００６１】
本発明の液体洗浄剤組成物は、（ａ）成分を１０〜５０質量％含有する。（ａ）成分の含有量は洗浄性の観点から、１５〜４０質量％であることが好ましく、２０〜３５質量％であることがより好ましい。
【００６２】
本発明の液体洗浄剤組成物は、（ｂ）成分を０．２５〜５質量％含有する。（ｂ）成分の含有量は、安定性の観点から、０．５〜５質量％であることが好ましく、２〜４．５質量％であることがより好ましい。
【００６３】
本発明の液体洗浄剤組成物は、（ｃ）成分を０．０１〜２質量％（但し、ポリヘキサメチレンビグアニドの酸塩又はポリリジンの酸塩の量は、それぞれ、ポリヘキサメチレンビグアニド換算又はポリリジン換算の量である）含有する。（ｃ）成分の含有量は、除菌性の観点から、０．０５〜１質量％であることが好ましく、０．１〜１質量％であることがより好ましい。
【００６４】
本発明の液体洗浄剤組成物における（ｄ）成分の含有量は、除菌性，安定性の観点から、０．５〜１０質量％であることが好ましい。更に１〜７質量％であることが好ましく、２〜５質量％であることがより好ましい。
【００６５】
本発明の液体洗浄剤組成物における（ｅ）成分の含有量は、洗浄性，安定性の観点から、１〜１０質量％であることが好ましい。更に１．５〜８．５質量％であることが好ましく、２〜８質量％であることがより好ましい。
【００６６】
本発明の液体洗浄剤組成物における、（ｂ）成分の含有量と（ｄ）成分の含有量のモル比（ｂ）／（ｄ）は、０．１〜１．０である。このモル比（ｂ）／（ｄ）は除菌性および安定性の観点から、０．５〜１．０であることが好ましく、０．７５〜０．９５であることがより好ましい。なお、（ｂ）成分及び／又は（ｄ）成分として複数の成分を用いる場合のモル数は、各成分のモル数の総和から求めることとする。
【００６７】
本発明の液体洗浄剤組成物における、（ｄ）成分の含有量と（ｅ）成分の含有量のモル比（ｄ）／（ｅ）は、０．２０〜５である。このモル比（ｄ）／（ｅ）は、洗浄性および除菌性の観点から、０．４〜２であることが好ましく、０．５〜１であることがより好ましい。なお、（ｄ）成分及び／又は（ｅ）成分として複数の成分を用いる場合のモル数は、各成分のモル数の総和から求めることとする。
【００６８】
本発明では貯蔵安定性の改善剤、または粘度調整剤として溶剤〔以下、（ｆ）成分という〕を含有することができる。溶剤の具体例としては、エタノール、イソプロピルアルコール、エチレングリコール、プロピレングリコール、ジエチレングリコール、ジプロピレングリコール、グリセリン、イソプレングリコール、プロピレングリコールモノメチルエーテル、プロピレングリコールモノエチルエーテルから選ばれる水溶性有機溶媒が挙げられ、エタノールが好ましい。（ｆ）成分の含有量は、組成物中、１〜１０質量％、更に３〜７質量％が好ましい。
【００６９】
その他の成分としては、粘度特性に影響のない限り、通常液体洗浄剤に配合されている成分を配合することができる。例えば、亜硫酸ナトリウムなどの防錆剤、香料や色素も本組成物の効果に影響しない範囲で配合される。
【００７０】
本発明の液体洗浄剤組成物は、上記成分を水に溶解又は分散させた液状の形態、水の含有量は組成物の残部であってよい。また、本発明の液体洗浄剤組成物の２５℃におけるｐＨは６．０〜８．０、更に６．０〜７．０が好ましい。
【００７１】
本発明では、業務用施設の厨房などの、より高い衛生管理が望まれる場所での食器や調理器具の洗浄において、優れた効果を得ることができる。通常、業務用施設の厨房などで用いられる洗浄道具は、使用頻度や汚れの種類などの相違から、一般家庭で用いられるものよりも菌が繁殖しやすい傾向があるが、本発明の液体洗浄剤組成物を用いることで、業務用施設の厨房などで用いられる洗浄道具においても、菌の繁殖を効果的に抑制することができる。また、本発明の液体洗浄剤組成物では、洗浄性や低温安定性にも優れたものとなる。これは、本発明の（ａ）〜（ｅ）成分を特定の量比で含む組成物がバイオフィルムを溶解、崩壊させて、菌そのものを十分に殺菌できるためであると考えられる。また、（ａ）〜（ｅ）成分の特定量比の組み合わせが、除菌性や洗浄力の向上のみならず、低温安定性の向上にも寄与しているものと推察される。
【実施例】
【００７２】
表１〜３に記載の割合で、液体洗浄剤組成物を調製した。ｐＨメーター（ＨＯＲＩＢＡ製  ｐＨ／イオンメーター  Ｆ−５２）にｐＨ測定用複合電極（ＨＯＲＩＢＡ製  ガラス摺り合わせスリーブ型）を接続し、組成物のｐＨ（２５℃）を「ＪＩＳ  Ｋ  ３３６２  ８．３」のｐＨ測定法により測定した。また、Ｂ型粘度計（ＴＯＫＩＭＥＣ  ＩＮＣ．製Ｂ型粘度計  モデルＢＭ）に、ローターＮｏ．２のローターを備え付けたものを準備し、表の液体洗浄剤組成物を粘度測定用ビーカーに充填し、２０℃の恒温水槽中で十分に温度調節した後、その温度調整をした組成物の入ったビーカーを粘度計にセットし、ローター回転数を６０ｒ／ｍｉｎにて６０秒後の粘度を測定した。
【００７３】
調製した液体洗浄剤組成物を用いて、下記に示す要領にて（１）洗浄性試験、（２）除菌性試験、及び（３）低温安定性評価を行った。結果を表１〜３に示す。
【００７４】
（１）洗浄性試験
市販の新品スポンジ（１１５ｍｍ×７５ｍｍ×３５ｍｍの可撓性吸収体、商品名：キクロン、販売元：キクロン株式会社）を水道水でもみ洗いし、水道水の含有量が約１０ｇになるまで絞った後、組成物１ｇと水道水約２０ｇを染み込ませた（絞った後の水道水の含有量と染み込ませる水道水の含有量の合計が３０ｇとなる様にする）。予め用意したモデル汚れ付き食器（牛脂／なたね油＝１／１（質量比）の１ｇを陶器皿に均一に塗布したもの）上で上記スポンジを２〜３回手でもみ泡立たせた後、モデル汚れ付き食器を擦り洗いし、３０℃に調整した水道水にて４Ｌ／ｍｉｎで３０秒流水すすぎを行い、洗浄できた枚数を求めた（すすぎ後の皿のヌルつきが無い場合、洗浄できたと判断する）。
【００７５】
（２）除菌性試験
緑膿菌（Ｐｓｅｕｄｏｍｏｎａｓ  ａｅｒｕｇｉｎｏｓａ  ＮＢＲＣ１３２７５）をＬＢ培地（日本ベクトン・ディッキンソン（株）製）を用いて、３７℃／１８時間で前培養して増殖させて生理食塩水１０ｍＬで懸濁させた後、菌液１ｍＬ中の菌数を測定し、初期接種菌数とした。
【００７６】
市販鶏肉ミンチ１０ｇと滅菌水１００ｍＬをジューサーで混合したモデル汚れに、菌液１ｍＬと組成物１ｍＬとを加え、市販の新品スポンジ（１１５ｍｍ×７５ｍｍ×３５ｍｍの可撓性吸収体、商品名：キクロン、販売元：キクロン株式会社）に１分間揉み込み、軽く絞った後５時間放置する。その後、水道水流水にて１０秒間すすぎ、組成物２ｇをスポンジに揉み込み一昼夜放置した後、ＬＰ希釈液（品名  ＬＰ希釈液「ダイゴ」日本製薬株式会社製）１００ｍＬにてスポンジを揉んで搾り出し、その絞り液１ｍＬ中の菌数を測定し（操作後菌数）、（初期接種菌数）／（操作後菌数）の商を求め、その１０を底とする対数を除菌活性値とした。即ち、除菌活性値は、以下の式で算出される。表中の値が大きいものほど除菌活性が高いことを意味する。
除菌活性値＝Ｌｏｇ10［（初期接種菌数）／（操作後菌数）］
【００７７】
（３）低温安定性評価
Ｎｏ．１１規格瓶（ＰＳ−Ｎｏ．１１、石田容器製）に組成物を１００ｍＬ充填し、−５℃に調温した恒温室に２０日保存した後、組成物の外観の変化について以下の基準で評価した。
３：変化なし
２：濁りが生じた
１：沈殿が生じた
【００７８】
【表１】
0005808207.tif 000009
【００７９】
【表２】
0005808207.tif 000010
【００８０】
【表３】
0005808207.tif 000011
【００８１】
（注）表中の成分は以下のものである。（ｂ）成分は酸型化合物換算の量を示した。
・アルキルポリグリコシド：直鎖アルキル（炭素数１０〜１６）ポリグリコシド（平均縮合度１．４０）
・ポリオキシエチレン（ＥＯｐ２１）ドデシルエーテル：エチレンオキシド平均付加モル数２１
・ＬＡＳ−Ｓ：直鎖アルキル（炭素数１０〜１６）ベンゼンスルホン酸
・ＰＨＭＢ：ポリヘキサメチレンビグアニド塩酸塩（式（ｃ２）においてｍ＝１２、ｎ＝ｍ）
・ポリリジン：ε−ポリ−Ｌ−リジン（重量平均分子量約２０００）
・塩素系殺菌剤：トリクロサン
・塩化ベンザルコニウム（１）：ベンジルオクチルジメチルアンモニウムクロライド
・塩化ベンザルコニウム（２）：直鎖アルキル（炭素数１２〜１６）ベンジルジメチルアンモニウムクロライド
・アルキルトリメチルアンモニウムクロライド（１）：（ココナツオイルアルキル）トリメチルアンモニウムクロライド
・アルキルトリメチルアンモニウムクロライド（２）：ヘキサデシルトリメチルアンモニウムクロライド
・アルキルトリメチルアンモニウムクロライド（３）：オクタデシルトリメチルアンモニウムクロライド
・ジアルキルジメチルアンモニウムクロライド（１）：ジドデシルジメチルアンモニウムクロライド
・ジアルキルジメチルアンモニウムクロライド（２）：ジオクタデシルジメチルアンモニウムクロライド
・ドデシルジメチルアミンオキシド：ドデシルジメチルアミンオキサイド
・ドデシルジメチルヒドロキシプロピルスルホベタイン：１−ドデカナミニウム，Ｎ−（２−ヒドロキシ−３−スルホプロピル）−Ｎ，Ｎ−ジメチル，インナーソルト